(57)【要約】【課題】線材から構成されており、洗い易くて衛生的で、軽量且つ耐久性の高い脱着式の水切り籠を提供する。【解決手段】水切りラックを構成する固定線材Ｒ１の任意の位置に固定可能な水切り籠１において、線材からなる水切り籠本体２を備え、この水切り籠本体２の一部の線材が下方に鋭角に折り返されて固定線材Ｒ１の任意の位置にそれぞれ掛け止められる第１係止部２１ａと、第２係止部２３ａを形成し、これらの第１係止部２１ａと第２係止部２３ａを、互いに離間して対向するとともに、下方に行くにしたがって互いに距離が縮まる方向に折り返す。【選択図】図６
2019195523.tif 000002
【特許請求の範囲】
【請求項１】
水切りラックや水切りバスケットなどの水切り用部材を構成する固定線材の任意の位置に固定可能な水切り籠であって、
線材からなる水切り籠本体を備え、
この水切り籠本体の一部の線材が下方に鋭角に折り返されて前記固定線材の任意の位置にそれぞれ掛け止められる第１係止部と、第２係止部が形成され、
これらの第１係止部と第２係止部は、互いに離間して対向するとともに、下方に行くにしたがって互いに距離が縮まる方向に折り返されていること
を特徴とする水切り籠。
【請求項２】
前記水切り籠本体は、平面視矩形状の横線材と、これらの横線材と交差して縦方向に繋ぐ縦線材と、からなり、
第１係止部と第２係止部のいずれか一方又は両方は、前記縦線材が延長されて折り返されたものであること
を特徴とする請求項１に記載の水切り籠。
【請求項３】
前記縦線材は、上方に延長されて横方向に折り曲げられて、掴んで移動するための把持部が形成されていること
を特徴とする請求項２に記載の水切り籠。
【請求項４】
前記把持部が形成された前記縦線材は、前記横線材より太い線材から構成されていること
を特徴とする請求項３に記載の水切り籠。
【請求項５】
前記水切り籠本体には、板材からなる底板と、この底板に立設された仕切り板とを有する仕切り部材が装着されていること
を特徴とする請求項１ないし４のいずれかに記載の水切り籠。
【発明の詳細な説明】
【技術分野】
【０００１】
本発明は、水切りラックや水切りバスケットなどの水切り用部材を構成する固定線材の任意の位置に脱着可能な水切り籠に関し、詳しくは、箸、しゃもじ、ナイフ、フォーク、スプーン、トングなどのカトラリー用の小型の脱着式の水切り籠に関する。
【背景技術】
【０００２】
従来、箸、しゃもじ、ナイフ、フォーク、スプーン、トングなどの食卓やキッチンで用いる小物用品を収容するカトラリー用の小型の水切り籠が知られている。例えば、特許文献１には、洗浄槽内に収容する食器洗い機用食器かご（籠）であって、スプーン等の小物類１０を収容する小物用かご２０を備え、小物用かご２０を樹脂材料で構成し、食器かご１７を構成する棒状部材２２への係合部２１を一体に設けた食器洗い機用食器かご（籠）が開示されている（特許文献１の特許請求の範囲の請求項１、明細書の段落［００１７］〜［００２８］、図面の図１，図５等参照）。
【０００３】
しかし、特許文献１に記載の食器洗い機用食器かご（籠）は、小物用かご（籠）２０が、隙間のないボックス形状の樹脂製の籠であり、水切りラック等の水切り用部材へ着脱自在な脱着式の水切り籠に適用した場合、自然乾燥だけでは水切りに時間がかかるという問題があった。その上、特許文献１に記載の食器洗い機用食器かご（籠）は、棒状部材２２に係合する係合部も樹脂製であり、耐久性に乏しい上、食べ物のカスが引掛り易く不衛生であるという問題があった。
【０００４】
また、カトラリー用の小型の水切り籠には、菜箸などのある程度長さのあるものを収容させて乾燥させたいという要望がある。しかし、縦長な細長い小型の水切り籠に菜箸などのある程度長さのあるものを差し込んだ場合、籠全体の重心が上方に移動してしまいスライド移動や脱着の際に転倒し易くなるという問題があった。
【０００５】
この問題の解決方法としては、水切り籠全体の重量を増やして菜箸等の重量では重心移動があまり起こらないようにすることも考えられる。しかし、そうすると、水切り籠をスライド移動させたり、脱着させたりする際に片手で簡単に行うことができなくなるという問題が発生する。特に、昇降式吊戸棚に適用する場合、水切り籠全体の重量を増やすことは、安全に昇降できるための重量制限を無駄に費やしてしまうこととなり、好ましくない。
【先行技術文献】
【特許文献】
【０００６】
【特許文献１】特開２００２−３０１００５号公報
【発明の概要】
【発明が解決しようとする課題】
【０００７】
そこで、本発明は、上述した問題に鑑みて案出されたものであり、その目的とするところは、線材から構成されており、洗い易くて衛生的で、軽量且つ耐久性の高い脱着式の水切り籠を提供することにある。
【課題を解決するための手段】
【０００８】
第１発明に係る水切り籠は、水切りラックや水切りバスケットなどの水切り用部材を構成する固定線材の任意の位置に固定可能な水切り籠であって、線材からなる水切り籠本体を備え、この水切り籠本体の一部の線材が下方に鋭角に折り返されて前記固定線材の任意の位置にそれぞれ掛け止められる第１係止部と、第２係止部が形成され、これらの第１係止部と第２係止部は、互いに離間して対向するとともに、下方に行くにしたがって互いに距離が縮まる方向に折り返されていることを特徴とする。
【０００９】
第２発明に係る水切り籠は、第１発明において、前記水切り籠本体は、平面視矩形状の横線材と、これらの横線材と交差して縦方向に繋ぐ縦線材と、からなり、第１係止部と第２係止部のいずれか一方又は両方は、前記縦線材が延長されて折り返されたものであることを特徴とする。
【００１０】
第３発明に係る水切り籠は、第２発明において、前記縦線材は、上方に延長されて横方向に折り曲げられて、掴んで移動するための把持部が形成されていることを特徴とする。
【００１１】
第４発明に係る水切り籠は、第３発明において、前記把持部が形成された前記縦線材は、前記横線材より太い線材から構成されていることを特徴とする。
【００１２】
第５発明に係る水切り籠は、第１発明ないし第４発明の何れかの発明において、前記水切り籠本体には、板材からなる底板と、この底板に立設された仕切り板とを有する仕切り部材が装着されていることを特徴とする。
【発明の効果】
【００１３】
第１発明〜第５発明によれば、水切り用部材の固定線材の任意の位置に脱着可能な水切り籠を、脱着自在のまま線材から構成することができる。このため、全体として軽量で脱着やスライド移動が片手で簡単に行うことができるとともに、洗い易くて衛生的で耐久性の高い水切り籠とすることができる。
【００１４】
特に、第２発明によれば、脱着の際の引き抜き方向となる縦方向に沿った縦線材に少なくとも第１係止部と第２係止部のいずれか一方の係止部が形成されているので、固定線材と係止部の係合を解く際に作用する曲げモーメントが小さくて済む。このため、さらに軽量且つ耐久性の高い水切り籠とすることができる。
【００１５】
特に、第３発明によれば、脱着の際の引き抜き方向となる縦方向に沿った縦線材に掴んで移動するための把持部が形成されているので、把持部を掴んで水切り籠の脱着や水平移動が容易である。その上、把持部を掴んで水切り籠を固定線材から脱着する際の曲げモーメントが小さくて済むため、さらに軽量且つ耐久性の高い水切り籠とすることができる。
【００１６】
特に、第４発明によれば、把持部が形成された縦線材は、横線材より太い線材から構成されているので、作用する力が大きい部分を効率よく強化することとなり、軽量化を図りつつ耐久性の高いものとすることができる。
【００１７】
特に、第５発明によれば、板材からなる底板を有する仕切り部材が装着されているので、仕切り板でカトラリー用品を効率よく収納できる。その上、洗い易くて衛生的で、耐久性の高い線材から水切り籠を構成した場合であっても、箸やスプーンの柄などの細いカトラリー用品が籠からずれ落ちたり、引っ掛かったりするおそれがない。
【図面の簡単な説明】
【００１８】
【図１】本発明の実施形態に係る水切り籠を示す全体斜視図である。
【図２】同上の水切り籠を水切りラックに固定した状態を示す写真である。
【図３】同上の水切り籠の水切り籠本体のみを示す斜視図である。
【図４】同上の水切り籠の仕切り部材のみを示す斜視図である。
【図５】同上の水切り籠を水切りラックに装着した状態を示す側面図である。
【図６】図４の水切り籠の変形例を示す斜視図である。
【図７】同上の水切り籠を水切りラックに装着する一例を示す側面図である。
【図８】同上の水切り籠を水切りラックに装着する別例を示す側面図である。
【発明を実施するための形態】
【００１９】
以下、本発明を適用した水切り籠を実施するための形態について、図面を参照しながら詳細に説明する。
【００２０】
＜水切り籠＞
図１は、本発明の実施形態に係る水切り籠を示す全体斜視図である。図１に示すように、本発明の実施形態に係る水切り籠１は、複数の線材同士が交差して接合されたステンレス製の断面円形の丸鋼棒材からなる水切り籠本体２と、この水切り籠本体２の内部空間を仕切って小分けする仕切り部材３と、から構成されている。
【００２１】
図２は、水切り用部材として例示する水切りラックＲに本実施形態に係る水切り籠１を装着した状態を示す写真である。本実施形態に係る水切り籠１は、図２に示すように、昇降式吊戸棚などのキッチンのシンクの周辺に設置される水切り用の水切りラックＲ等に装着される脱着移動式の水切り籠である。この水切り籠１は、水切り部材である水切りラックＲを構成する複数の固定線材Ｒ１に係合させて固定して用いられる。また、この水切り籠１は、箸、しゃもじ、ナイフ、フォーク、スプーン、トングなどの食卓やキッチンで用いる小物用品（カトラリー用品）を収容する用途として用いる小型の水切り籠である。
【００２２】
勿論、本発明に係る水切り籠１は、図２に例示した水切りラックＲに限られず、シンクに架け渡す水切りバスケット等にも着脱して使用することができる。要するに、本発明に係る水切り籠１は、食器洗い後に水を切って乾燥させるためにキッチンのシンクの周辺に設置されて水切りの用途に使用する部材であり、且つ、所定間隔をあけて平行に並設された複数の固定線材Ｒ１を有する水切り用部材には適用することができる。
【００２３】
次に、図３〜図５を用いて、本実施形態に係る水切り籠１の水切り籠本体２及び仕切り部材３の個々の構成について説明する。図３は、本実施形態に係る水切り籠１の水切り籠本体２のみを示す斜視図であり、図４は、水切り籠１の仕切り部材３のみを示す斜視図である。また、図５は、水切り籠１を水切りラックＲに装着した状態を示す側面図である。
【００２４】
（水切り籠本体）
水切り籠本体２は、図３及び図５に示すように、平面視矩形状の複数の横線材２０と、これらの横線材２０と交差して縦方向に繋ぐ２本の縦線材２１，２２と、から構成されている。
【００２５】
横線材２０は、図３に示すように、端部がない同形の角形リング状の鋼線からなり、水平に一定間隔をあけて複数段に亘って設置されている。
【００２６】
縦線材２１は、図３に示すように、端部がない角形リング状の鋼線から折り曲げられて形成された部材であり、横線材２０と直交して溶接等で接合されている。この縦線材２１の下端には、図５に示すように、最下段の横線材２０からさらに下方に延長されて側面視くの字状に折り曲げられて、前述の固定線材Ｒ１に掛け止めて係止する第１係止部２１ａが形成されている。また、この縦線材２１の上端には、最上段の横線材２０からさらに上方に延長されて側面視でＬ字状に横方向に折り曲げられた、水切り籠１全体を掴んで持ち上げるための把持部２１ｂが形成されている。
【００２７】
このように、把持部２１ｂを掴んで固定線材Ｒ１から引き抜く際の引き抜き方向となる縦方向に沿った縦線材２１に第１係止部２１ａが形成されているので、固定線材Ｒ１と第１係止部２１ａの係合を解く際に作用する曲げモーメントが小さくて済む。このため、脱着を繰り返しても変形しない耐久性の高い水切り籠１とすることができる。
【００２８】
そして、縦線材２２は、図３、図５に示すように、１本の鋼線から折り曲げられて、側面視Ｚ状となっているとともにその一部が最下段の横線材２０に沿って接合されて横線材２０の側端からさらに側方に突出した突出部２３が形成されている。また、図５に示すように、この突出部２３の先端（側面視）には、最下段の横線材２０からさらに下方に突出して側面視でヘアピン状に鋭角に折り曲げられて、前述の固定線材Ｒ１に掛け止めて係止する第２係止部２３ａが形成されている。
【００２９】
つまり、これらの第１係止部２１ａと第２係止部２３ａは、互いに離間して対向するとともに、下方に行くにしたがって互いに距離が縮まる方向に折り返されている。このため、ばねとして機能する鋼線からなる縦線材２１，２２に、固定線材Ｒ１に掛け止める第１係止部２１ａ及び第２係止部２３ａが向き合って形成されていることとなる。よって、水切り籠１の水切りラックＲへの固定が確実に行えるとともに、脱着が極めて容易である。また、固定線材Ｒ１が所定間隔で平行して並設されている部分には、任意の位置に固定することが可能であり、スライド移動も自在である。
【００３０】
また、縦線材２２の上端には、横方向に折り曲げられて最上段の横線材２０に沿って接合された上端接合部２４が形成されている。
【００３１】
このように、縦線材２２には、突出部２３で側方に張り出してその先端に第２係止部２３ａが形成されている。このため、前述の縦線材２１の第１係止部２１ａと、第２係止部２３ａとの間隔を広くとることができ、水切り籠１を固定線材Ｒ１に安定して係止することができる。
【００３２】
また、突出部２３と反対方向に張り出した上端接合部２４が横線材２０に沿って略全長接合されているので、第２係止部２３ａの固定線材Ｒ１からの脱着の際に作用する曲げモーメントを上端接合部２４で支持することが可能となる。よって、この点でも、耐久性の高い水切り籠１とすることができる。
【００３３】
なお、最下段の横線材２０の下方には、仕切り部材３を載置する横棒２５が接合されている。
【００３４】
また、把持部２１ｂが形成された縦線材２１は、横線材２０や縦線材２２より太い鋼線から構成されている。このため、脱着や移動の際に掴んで引っ張るなど作用する力が大きい把持部２１ｂ等の周辺部分を効率よく高強度とすることとなり、籠全体として軽量化を図りつつ耐久性の高いものとすることができる。
【００３５】
（仕切り部材）
仕切り部材３は、図４、図５に示すように、２枚の鋼鈑が折り曲げられて接合された板材であり、底板３０と、この底板３０に立設された仕切り板３１と、を備えている。この仕切り部材３は、水切り籠本体２に挿置され、水切り籠本体２内の空間を仕切って小分けして箸やスプーンの柄などの細長いカトラリー用品を効率よく収納する機能を有している。
【００３６】
この底板３０は、図４、図５に示すように、左右の両端が折り曲げられて上方へ垂直に立ち上がった立上り部３０ａが形成されている。この立上り部３０ａの高さは、横線材２０同士の上下の間隔より高くなっており、立上り部３０ａは、仕切り部材３が水切り籠本体２内に挿置された際に、仕切り部材３が移動するのを抑制する機能を有している。
【００３７】
また、図４に示すように、底板３０には、水抜き用の複数の水抜き孔３０ｂが穿設されている。この水抜き孔３０ｂは、箸やスプーンの柄などの細いカトラリー用品が通り抜けない大きさに設定されている。このため、箸やスプーンの柄などの細いカトラリー用品を底板３０で載置することができ、水切り籠本体２を洗い易くて衛生的なステンレス製の丸棒材から構成した場合でも、カトラリー用品が、籠からずれ落ちたり、引っ掛かったりするおそれがない。
【００３８】
仕切り板３１は、底板３０の中央に立設された板状の部位であり、水切り籠本体２内の空間を仕切って小分けする機能を有している。
【００３９】
次に、図６を用いて、前述の仕切り部材３の別の実施形態である変形例について説明する。図６は、図５に示す仕切り部材３の変形例を示す斜視図である。本発明に係る仕切り部材は、前述の仕切り部材３の他、図６に示すような別の実施形態に係る仕切り部材３’としてもよい。
【００４０】
この仕切り部材３’は、２枚の鋼鈑が折り曲げられて接合された板材であり、底板３０’と、この底板３０’に立設された仕切り板３１’と、を備えている。この仕切り部材３’は、前述の仕切り部材３と同様に、水切り籠本体２に挿置され、水切り籠本体２内の空間を仕切って小分けして箸やスプーンの柄などの細長いカトラリー用品を効率よく収納する機能を有している。
【００４１】
また、図６に示すように、この底板３０’にも、仕切り部材３’が移動するのを抑制する機能を有した、左右の両端が折り曲げられて上方へ垂直に立ち上がり、横線材２０同士の上下の間隔より高くなった立上り部３０ａ’が形成されている。
【００４２】
それに加え、図６に示すように、底板３０’には、前述の底板３０と同様に、箸やスプーンの柄などの細いカトラリー用品が通り抜けない大きさに設定された水抜き用の複数の水抜き孔３０ｂ’が穿設されている。
【００４３】
＜水切り籠の脱着動作＞
次に、図７、図８を用いて、水切り籠１の固定線材Ｒ１への脱着動作について説明する。図７は、水切り籠１を水切りラックＲの固定線材Ｒ１に装着する一例を示す側面図であり、図８は、その別例を示す側面図である。
【００４４】
図７は、前述の一対の第１係止部２１ａと第２係止部２３ａのうち、第２係止部２３ａ側から掛け止める場合を例示している。図７に示すように、先ず、把持部２１ｂを掴んだ状態で、手前側（図の右側から把持部２１ｂを掴んでいる状態を想定している）となる第２係止部２３ａ側を固定線材Ｒ１に引っ掛ける。そして、把持部２１ｂを掴んだまま、把持部２１ｂを押し込んでもう奥側となるもう一方の第１係止部２１ａを固定線材Ｒ１に引っ掛ける。このとき、第１係止部２１ａ及び縦線材２１は、鋼線からなるため、所定の反発力をもって弾性変形可能であり、ばね材として機能して極めて簡単に掛け止めることができる。
【００４５】
水切り籠１を取り外す際は、前述の逆動作であり、把持部２１ｂを掴んだ状態で、手前側に把持部２１ｂを引っ張ると、第１係止部２１ａが固定線材Ｒ１から外れることとなる。以上のように、片手で把持部２１ｂを掴んだ状態で簡単に水切り籠１の水切りラックＲへの脱着動作を行うことができる。
【００４６】
図８は、前述の一対の第１係止部２１ａと第２係止部２３ａのうち、第１係止部２１ａ側から掛け止める場合を例示している。図８に示すように、先ず、把持部２１ｂを掴んだ状態で、奥側（図の右側から把持部２１ｂを掴んでいる状態を想定している）となる第１係止部２１ａ側を固定線材Ｒ１に引っ掛ける。そして、把持部２１ｂを掴んだまま、把持部２１ｂを引っ張って手前側となる一方の第２係止部２３ａを固定線材Ｒ１に引っ掛ける。
【００４７】
次に、水切り籠１を取り外す際は、前述の逆動作であり、把持部２１ｂを掴んだ状態で、奥側に把持部２１ｂを押し込むと、第２係止部２３ａが固定線材Ｒ１から外れることとなる。以上のように、本発明の実施形態に係る水切り籠１は、手前側、奥側いずれからでも簡単に脱着することが可能である。
【００４８】
以上説明した本発明の実施形態に係る水切り籠１によれば、固定線材Ｒ１へ掛け止める第１係止部２１ａと第２係止部２３ａを水切り籠本体２を構成する鋼線（線材）のみから連続して形成することができる。このため、全体として軽量で転倒防止が可能であるとともに、安価に製造でき、洗い易くて衛生的で耐久性の高い水切り籠とすることができる。
【００４９】
その上、水切り籠１の固定線材Ｒ１への脱着動作が極めて容易であり、脱着やスライド移動を片手で簡単に行うことができる。
【００５０】
また、水切り籠１には、仕切り部材３が装着されているので、細長いカトラリー用品を効率よく収納することができる。その上、洗い易くて衛生的で、耐久性の高い鋼線から水切り籠本体２を構成した場合であっても、箸やスプーンの柄などの細いカトラリー用品が籠からずれ落ちたり、引っ掛かったりするおそれがない。
【００５１】
以上、本発明の実施の形態に係る水切り籠１について詳細に説明したが、前述した又は図示した実施の形態は、何れも本発明を実施するにあたって具体化した一実施の形態を示したものに過ぎない。よって、これらによって本発明の技術的範囲が限定的に解釈されてはならない。
【００５２】
特に、水切り籠を構成する線材として、断面円形のステンレス製の丸鋼棒材を例示して説明したが、防錆メッキや樹脂被覆を施したその他の鋼材や、他の素材からなるその他の断面形状の線材としてもよいことは云うまでもない。但し、水切り籠を構成する線材は、角がない断面円形のステンレス製の丸鋼棒材であれば、洗い易くて衛生的で、耐久性の高いことから好ましいと云える。
【符号の説明】
【００５３】
１：水切り籠
２：水切り籠本体
２０：横線材
２１，２２：縦線材
２１ａ，２３ａ：係合部
２１ｂ：把持部
２３：突出部
２４：上端接合部
２５：横棒
３：仕切り部材
３０：底板
３０ａ：立上り部
３０ｂ：水抜き孔
３１：仕切り板
Ｒ：水切りラック
Ｒ１：固定線材
【図１】
2019195523.tif 000003
【図２】
2019195523.tif 000004
【図３】
2019195523.tif 000005
【図４】
2019195523.tif 000006
【図５】
2019195523.tif 000007
【図６】
2019195523.tif 000008
【図７】
2019195523.tif 000009
【図８】
2019195523.tif 000010